(57)【要約】      （修正有）【課題】居住者の在室状態又は不在状態の管理を容易とし、住戸玄関ドアの施解錠を行う鍵を携帯している居住者にとっての帰宅時における利便性を高めるとともに、当該帰宅時における防犯性を高める。【解決手段】鍵１２の発信部１２０からの電波が共同玄関受信部３にて受信される当該電波の検出時において、鍵によって解錠すべき住戸玄関ドア６、６、・・・を有する住戸の居住者が不在状態であるとき、制御機１１のＣＰＵ１１０は、エレベータ４を共同玄関付近で開扉させた後、当該鍵によって解錠すべき前記住戸玄関ドアを有する住戸の存在階までエレベータを自動運転するばかりでなく、共同玄関ドア２から鍵によって解錠すべき住戸玄関ドアを有する住戸までの間の照明灯１０、１０、・・・を点灯させる。【選択図】図１
2011035538.tif 000002
【特許請求の範囲】
【請求項１】
集合住宅の各階を昇降するためのエレベータ（４）が設けられる当該集合住宅の共同玄関の外側に居住者が携帯する鍵（１２）によって解錠される共同玄関ドア（２）を設置するインターホンシステムにおいて、
前記共同玄関の外側における前記共同玄関ドアの周囲近傍の電波を受信するための共同玄関受信部（３）と、前記鍵によって解錠すべき住戸玄関ドア（６、６、・・・）を有する住戸の居住者が不在状態であることを記憶するためのＣＰＵ（１１０）を備えた制御機（１１）とを有し、
前記制御機の前記ＣＰＵは、前記共同玄関受信部にて受信される電波の検出時において、前記鍵によって解錠すべき住戸玄関ドアを有する住戸の居住者が不在状態であるとき、前記エレベータを共同玄関付近で開扉させた後、当該鍵によって解錠すべき住戸玄関ドアを有する住戸の存在階まで前記エレベータを自動運転させることを特徴とするインターホンシステム。
【請求項２】
集合住宅の共同玄関の外側に居住者が携帯する鍵（１２）によって解錠される共同玄関ドア（２）を設置するインターホンシステムにおいて、
集合住宅内の明るさを確保するための照明灯（１０、１０、・・・）を設置し、
前記共同玄関の外側における前記共同玄関ドアの周囲近傍の電波を受信するための共同玄関受信部（３）と、前記鍵によって解錠すべき住戸玄関ドア（６、６、・・・）を有する住戸の居住者が不在状態であることを記憶するためのＣＰＵ（１１０）を備えた制御機（１１）とを有し、
前記制御機の前記ＣＰＵは、前記共同玄関受信部にて受信される電波の検出時において、前記共同玄関ドアから前記鍵によって解錠すべき住戸玄関ドアを有する住戸までの間の前記照明灯を点灯させることを特徴とするインターホンシステム。
【請求項３】
集合住宅の各住戸の住戸玄関の外側に居住者が携帯する鍵（１２）によって施解錠される住戸玄関ドア（６、６、・・・）を設置するインターホンシステムにおいて、
集合住宅内の明るさを確保するための照明灯（１０、１０、・・・）を設置し、
前記住戸玄関の外側における前記住戸玄関ドアの周囲近傍の電波を受信するための住戸玄関受信部（７、７、・・・）と、前記鍵によって解錠すべき住戸玄関ドアを有する住戸の居住者が不在状態であることを記憶するためのＣＰＵ（１１０）を備えた制御機（１１）とを有し、
前記制御機の前記ＣＰＵは、前記鍵によって解錠すべき住戸玄関ドアとは異なる他住戸の前記住戸玄関受信部にて受信される電波の検出時において、前記鍵によって解錠すべき住戸玄関ドアを有する住戸の居住者が不在状態であるとき、前記住戸玄関受信部を有する他住戸から前記鍵によって解錠すべき住戸玄関ドアを有する住戸までの間の前記照明灯を点灯させることを特徴とするインターホンシステム。
【請求項４】
前記制御機の前記ＣＰＵは、前記住戸玄関受信部にて受信される電波の検出後、前記解錠すべき住戸玄関ドアが解錠されたとき、前記点灯させた照明灯を消灯することを特徴とする請求項３記載のインターホンシステム。
【請求項５】
顔画像を撮像するためのカメラ（１００）が前記共同玄関の外側に設置され、
前記制御機の前記ＣＰＵは、予め記憶された当該顔画像と前記カメラにて撮像された前記顔画像とを比較し、前記鍵の携帯者が当該鍵の所有者であることを判別する顔認証を行うことを特徴とする請求項１又は請求項２記載のインターホンシステム。
【請求項６】
顔画像を撮像するためのカメラ（５００）が前記住戸玄関の外側に設置され、
前記制御機の前記ＣＰＵは、予め記憶された当該顔画像と前記カメラにて撮像された前記顔画像とを比較し、前記鍵の携帯者が当該鍵の所有者であることを判別する顔認証を行うことを特徴とする請求項３又は請求項４項記載のインターホンシステム。
【請求項７】
前記制御機の前記ＣＰＵは、前記顔認証の結果を、管理人室等の前記集合住宅の共用部に備えられる報知部（９００）にて報知することを特徴とする請求項５又は請求項６記載のインターホンシステム。
【発明の詳細な説明】
【技術分野】
【０００１】
本発明は、マンション等の集合住宅に設置されるインターホンシステムに係り、特に、集合住宅の居住者による帰宅時の利便性を高めたインターホンシステムに関する。
【背景技術】
【０００２】
従来から、企業の独身寮等に利用される集合住宅や高齢者が居住者する集合住宅では、例えば、居住者の在室状態又は不在状態を管理室にて確認し、種々の管理が行われている。具体的には、外出時における電気錠の施錠状態の検出や、帰宅時における連絡・伝言事項等の通知を行う管理が実施されている。
【０００３】
また、不在状態であると管理された居住者が、外出先からの帰宅時において集合住宅の共同玄関口に設けられる出入口管理装置を利用し、例えば、テンキー又はカードによる暗証番号の入力により共同玄関口の電気錠を解錠するとともに、エレベータの呼び登録を行うようにした特許文献１に記載の集合住宅出入口管理システムが開示されている。
【先行技術文献】
【特許文献】
【０００４】
【特許文献１】特開平２−４５８９８号公報
【発明の概要】
【発明が解決しようとする課題】
【０００５】
しかしながら、背景技術に記載した従来例において、住戸玄関に電気錠が不備とされる集合住宅では、例えば、外出前に不在設定の該当操作を怠ると、管理室にて居住者の在室状態又は不在状態の管理ができないばかりでなく、例えば、在室状態のまま外出した居住者であっても帰宅時において特許文献１に記載の共同玄関口の電気錠の解錠及びエレベータの呼び登録が可能であり、居住者の在室状態又は不在状態の相違に対応させて電気錠の解錠及びエレベータの呼び登録を制御できなかった。
【０００６】
また、特許文献１に記載された発明によれば、共同玄関口の電気錠を解錠し、エレベータの呼び登録を行うことができるものの、集合住宅内に進入した居住者が自住戸に向かう帰宅ルート上の明るさを確保する手段が何ら備えられておらず、例えば、夜間（深夜）帯等において照明灯が消灯している場合には、防犯性が低下する虞があった。
【０００７】
本発明は、これらの難点を解消するためになされたもので、居住者の在室状態又は不在状態の管理を容易とし、住戸玄関ドアの施解錠を行う鍵を携帯している居住者にとっての帰宅時における利便性を高めるとともに、当該帰宅時における防犯性を高めたインターホンシステムを提供することを目的としている。
【課題を解決するための手段】
【０００８】
前述の目的を達成するため、本発明の第１の態様であるインターホンシステムは、集合住宅の各階を昇降するためのエレベータが設けられる当該集合住宅の共同玄関の外側に居住者が携帯する鍵によって解錠される共同玄関ドアを設置する当該システムにおいて、共同玄関の外側における共同玄関ドアの周囲近傍の電波を受信するための共同玄関受信部と、鍵によって解錠すべき住戸玄関ドアを有する住戸の居住者が不在状態であることを記憶するためのＣＰＵを備えた制御機とを有している。制御機のＣＰＵは、共同玄関受信部にて受信される電波の検出時において、鍵によって解錠すべき住戸玄関ドアを有する住戸の居住者が不在状態であるとき、エレベータを共同玄関付近で開扉させた後、当該鍵によって解錠すべき住戸玄関ドアを有する住戸の存在階までエレベータを自動運転させるものである。
【０００９】
このようなインターホンシステムによれば、帰宅時における居住者は何ら操作することなく開扉されたエレベータに乗車し、自住戸の存在階まで容易かつ迅速に辿り着くことができ、利便性が高められる。
【００１０】
また、本発明の第２の態様であるインターホンシステムは、集合住宅の共同玄関の外側に居住者が携帯する鍵によって解錠される共同玄関ドアを設置する当該システムにおいて、集合住宅内の明るさを確保するための照明灯を設置し、共同玄関の外側における共同玄関ドアの周囲近傍の電波を受信するための共同玄関受信部と、鍵によって解錠すべき住戸玄関ドアを有する住戸の居住者が不在状態であることを記憶するためのＣＰＵを備えた制御機とを有している。制御機のＣＰＵは、共同玄関受信部にて受信される電波の検出時において、共同玄関ドアから鍵によって解錠すべき住戸玄関ドアを有する住戸までの間の照明灯を点灯させるものである。
【００１１】
このようなインターホンシステムによれば、帰宅時における居住者にとって、共同玄関ドアから自住戸までの帰宅ルート上の照明灯が点灯され、明るさが確保されていることから、その帰宅時が夜間（深夜）帯であっても帰宅ルートの確認が容易で利便性が高められるばかりでなく、防犯性も高められる。
【００１２】
また、本発明の第３の態様であるインターホンシステムは、集合住宅の各住戸の住戸玄関の外側に居住者が携帯する鍵によって施解錠される住戸玄関ドアを設置する当該システムにおいて、集合住宅内の明るさを確保するための照明灯を設置し、住戸玄関の外側における住戸玄関ドアの周囲近傍の電波を受信するための住戸玄関受信部と、鍵によって解錠すべき住戸玄関ドアを有する住戸の居住者が不在状態であることを記憶するためのＣＰＵを備えた制御機とを有している。制御機のＣＰＵは、鍵によって解錠すべき住戸玄関ドアとは異なる他住戸の住戸玄関受信部にて受信される電波の検出時において、鍵によって解錠すべき住戸玄関ドアを有する住戸の居住者が不在状態であるとき、住戸玄関受信部を有する他住戸から前記鍵によって解錠すべき住戸玄関ドアを有する住戸までの間の照明灯を点灯させるものである。
【００１３】
このようなインターホンシステムによれば、帰宅時における居住者にとって、集合住宅内の他住戸の玄関付近から自住戸までの帰宅ルート上の照明灯が点灯され、明るさが確保されていることから、その帰宅時が夜間（深夜）帯であっても帰宅ルートの確認が容易で利便性が高められるばかりでなく、防犯性も高められる。
【００１４】
また、本発明の第４の態様であるインターホンシステムは、本発明の第３の態様において、制御機のＣＰＵは、住戸玄関受信部にて受信される電波の検出後、解錠すべき住戸玄関ドアが解錠されたとき、点灯させた照明灯を消灯するものである。
【００１５】
このようなインターホンシステムによれば、帰宅後に不要とされる照明灯の点灯動作を停止し消灯させることにより、無駄な電力消費が防止され省電力化が図られる。
【００１６】
また、本発明の第５の態様であるインターホンシステムは、本発明の第１の態様又は第２の態様において、顔画像を撮像するためのカメラが共同玄関の外側に設置され、制御機のＣＰＵは、予め記憶された当該顔画像とカメラにて撮像された顔画像とを比較し、鍵の携帯者が当該鍵の所有者であることを判別する顔認証を行うものである。
【００１７】
このようなインターホンシステムによれば、鍵の携帯者が当該鍵の所有者であるか否かの判別が容易となり、防犯性が高められる。
【００１８】
また、本発明の第６の態様であるインターホンシステムは、本発明の第３の態様又は第４の態様において、顔画像を撮像するためのカメラが住戸玄関の外側に設置され、制御機のＣＰＵは、予め記憶された当該顔画像とカメラにて撮像された顔画像とを比較し、鍵の携帯者が当該鍵の所有者であることを判別する顔認証を行うものである。
【００１９】
このようなインターホンシステムによれば、鍵の携帯者が当該鍵の所有者であるか否かの判別が容易となり、防犯性が高められる。
【００２０】
また、本発明の第７の態様であるインターホンシステムは、本発明の第５の態様又は第６の態様において、制御機のＣＰＵは、顔認証の結果を、管理人室等の集合住宅の共用部に備えられる報知部にて報知するものである。
【００２１】
このようなインターホンシステムによれば、鍵の携帯者が当該鍵の所有者であるか否かの判別結果の報知が容易となり、防犯性が高められる。
【発明の効果】
【００２２】
本発明のインターホンシステムによれば、鍵を携帯している居住者にとって、帰宅時における共同玄関ドアの開成、エレベータの自動運転、帰宅ルート上の照明灯の点灯／消灯を何ら操作することなく実行することができ、利便性が高められる。また、鍵の携帯者が当該鍵の所有者であるか否かの判別、及びその判別結果の報知が容易となり、防犯性が高められる。
【図面の簡単な説明】
【００２３】
【図１】本発明の実施例によるインターホンシステムの全体構成を示すシステム図。
【発明を実施するための最良の形態】
【００２４】
以下、本発明のインターホンシステムを適用した最良の実施の形態例について、図面を参照して説明する。
【００２５】
図１は、本発明の実施例によるインターホンシステムの全体構成を示すシステム図であり、マンション等の集合住宅の共同玄関において、共同玄関の外側（集合住宅外側）には、当該共同玄関に居る来訪者が集合住宅内の特定の居住者又は管理人を呼び出して通話を成立させるための共同玄関機１と、居住者が携帯する鍵１２によって錠２００が解錠される共同玄関ドア２と、共同玄関ドア２の周囲近傍、例えば、錠２００から１５ｃｍ以内における電波を受信するための共同玄関受信部３とがそれぞれ設置されている。また、共同玄関の内側（集合住宅内側）には、集合住宅の各階を昇降するためのエレベータ４が設置されている。なお、共同玄関機１には、前述の呼出・通話機能のみならず、鍵１２の携帯者が当該鍵の正当な所有者であることを確認する顔認証について、後述する制御機１１のＣＰＵ１１０にて行うにあたり必要とされる顔画像を撮像するためのカメラ１００が備えられている。
【００２６】
集合住宅の各住戸において、住戸玄関の外側（住戸外側）には、当該住戸玄関に居る来訪者が住戸内に在室中の居住者を呼び出して通話を成立させるための玄関子機５、５、・・・と、居住者が携帯する鍵１２によって錠６００が施解錠される住戸玄関ドア６、６、・・・と、住戸玄関ドア６、６、・・・の周囲近傍、例えば、錠６００から１５ｃｍ以内における電波を受信するための住戸玄関受信部７、７、・・・とがそれぞれ設置されている。また、住戸玄関の内側（住戸内側）には、住戸内に在室中の居住者が来訪者又は管理人からの呼び出しに応答して通話を成立させるとともに、管理人を呼び出して通話を成立させ、さらには、所定のライン（符号は付与せず。）を経由して接続された玄関子機５、５、・・・、住戸玄関ドア６、６、・・・（の錠６００）、住戸玄関受信部７、７、・・・をそれぞれ制御するための居室親機８、８、・・・が設置されている。なお、玄関子機５、５、・・・には、前述の呼出・通話機能のみならず、鍵１２の携帯者が当該鍵の正当な所有者であることを確認する顔認証について、後述する制御機１１のＣＰＵ１１０にて行うにあたり必要とされる顔画像を撮像するためのカメラ５００が備えられている。
【００２７】
また、集合住宅の共用部である例えば、管理室内には、当該管理室内に在室中の管理人が来訪者又は居住者からの呼び出しに応答して通話を成立させるとともに、特定の居住者を呼び出して通話を成立させる、或いは、一斉呼び出しを行うための管理室親機９が設置されている。なお、管理室親機９には、前述の呼出・通話機能のみならず、共同玄関機１のカメラ１００及び／又は玄関子機５、５、・・・のカメラ５００にて撮像される顔画像について、後述する制御機１１のＣＰＵ１１０にて行われる顔認証の結果を報知するための報知部９００、ここでは、音響出力で報知するスピーカ９００ａと、文字や画像等の出力で報知するモニタ９００ｂとが備えられている。
【００２８】
また、集合住宅内の例えば、共同玄関フロア、各階のフロア、廊下等には、当該集合住宅内の明るさを確保するために点灯される照明灯１０、１０、・・・が設置されている。
【００２９】
また、集合住宅の共用部である例えば、廊下や管理室内には、所定のライン（符号は付与せず。）を経由して接続された共同玄関機１、共同玄関ドア２（の錠２００）、共同玄関受信部３、エレベータ４、居室親機８、８、・・・、管理室親機９及び照明灯１０をそれぞれ制御するためのＣＰＵ１１０を有する制御機１１が設置されている。なお、ＣＰＵ１１０には、鍵１２を携帯する居住者の顔画像が、例えば、居住者の氏名、住戸番号、階番号等の居住者情報に割り当てられて予め記憶されているものとし、通常、計時機能も備えられている。
【００３０】
さらに、居住者によって携帯される鍵１２には、前述の居住者情報が予め含まれた電波を送信するための発信部１２０が備えられている。この発信部１２０は、当該実施例に適用される鍵１２と一体で設けられる内蔵型の形態に限定されるものではなく、例えば、鍵１２とキーホルダー等で分離しづらい状態で鍵１２に接続された別体型の形態であってもよい。
【００３１】
なお、鍵１２の発信部１２０から発信される居住者情報は、当該鍵の紛失時又は盗難時においてデータ詐取されることを防止するため、通常、パスワード等で管理され、その解読を困難としている。
【００３２】
このように構成された本発明の実施例による集合住宅インターホンシステムにおいて、以下、具体的な動作について説明する。
【００３３】
図１に示す居室親機８、８、・・・がそれぞれ住戸内に設置される居住者のうち、ここでは、例えば、５１０号室の居住者が外出するにあたり、鍵１２によって住戸玄関ドア６の錠６００を施錠すると、この錠６００の周囲近傍に例えば、１５ｃｍ以内で設置された住戸玄関受信部７は、鍵１２の発信部１２０からの送信電波を受信することができる。この送信電波は、電気信号に信号変換された後、５１０号室の住戸玄関受信部７から同住戸の居室親機８を経由して制御機１１に伝送される。
【００３４】
制御機１１のＣＰＵ１１０は、受信した送信電波信号に予め含まれている居住者情報をもとに、予め在室状態であった５１０号室の居住者による自住戸玄関の施錠操作が行われたことを検出し、前述の５１０号室の居室親機８を経由して玄関子機５のカメラ５００を駆動させ、鍵１２によって施錠操作を行った人物の顔画像の撮像を開始することができる。この顔画像は、電気信号の顔画像信号に変換された後、居室親機８に送出され、前述の送信電波信号と同様な経路を介して制御機１１に伝送される。
【００３５】
ここで、制御機１１のＣＰＵ１１０は、受信した顔画像信号と予め記憶されているデータとの照合を行う。ここでは、判別結果として、鍵１２によって施錠操作を行った人物が５１０号室の居住者であると判別されることから、必要に応じて判別結果の報知を、管理室親機９の報知部９００（９００ａ、９００ｂ）を使用して行うとともに、居室番号「２１０」に割り当てて在室状態から不在状態に遷移されたことを記憶し、その遷移後における一定時間、例えば、５分の計時を開始する。
【００３６】
なお、制御機１１のＣＰＵ１１０において、受信した顔画像信号と予め記憶されているデータとの照合に基づく判別結果が一致しなかった場合、例えば、本来の所有者であるべき５１０号室の居住者ではなく、その鍵１２を盗んだ第三者であると判別した場合には、その旨の警報発報を、管理室親機９の報知部９００（９００ａ、９００ｂ）を使用して行うことができるばかりでなく、同様な警報発報を必要に応じて５１０号室の玄関子機５及び居室親機８に行うことができ、さらには、図示しない警報転送手段の利用によって警備会社等に通報することもできる。
【００３７】
次に、前述のような５１０号室の居住者による不在状態への遷移後、この居住者が外出するにあたり、開成された共同玄関ドア２を経由して集合住宅外に出ると、共同玄関ドア２の錠２００の周囲近傍に例えば、１５ｃｍ以内で設置された共同玄関受信部３は、鍵１２の発信部１２０からの送信電波を受信することができる。この送信電波は、電気信号に信号変換された後、共同玄関受信部３から制御機１１に伝送される。
【００３８】
制御機１１のＣＰＵ１１０は、受信した送信電波信号に予め含まれている居住者情報をもとに、予め不在状態であった５１０号室の居住者が外出により共同玄関（の外側）に居ることを検出する。ここで、ＣＰＵ１１０は、この検出タイミングが、計時されている一定時間（例えば、５分。）の経過前であるため、共同玄関機１のカメラ１００への駆動制御を行うことはない。したがって、居住者の外出時において、共同玄関受信部３が鍵１２の発信部１２０からの送信電波を受信したときの誤動作の発生を防止することができる。
【００３９】
次に、前述のような５１０号室の居住者による不在状態への遷移後、この居住者が帰宅するにあたり共同玄関ドア２に近付くと、共同玄関ドア２の錠２００の周囲近傍に例えば、１５ｃｍ以内で設置された共同玄関受信部３は、鍵１２の発信部１２０からの送信電波を受信することができる。この送信電波は、電気信号に信号変換された後、共同玄関受信部３から制御機１１に伝送される。
【００４０】
制御機１１のＣＰＵ１１０は、受信した送信電波信号に予め含まれている居住者情報をもとに、予め不在状態であった５１０号室の居住者が共同玄関（の外側）に居ることを検出し、共同玄関機１のカメラ１００を駆動させ、共同玄関に居る人物の顔画像の撮像を開始することができる。この顔画像は、電気信号の顔画像信号に変換された後、共同玄関機１から制御機１１に伝送される。
【００４１】
ここで、制御機１１のＣＰＵ１１０は、受信した顔画像信号と予め記憶されているデータとの照合を行う。ここでは、判別結果として、共同玄関に居る鍵１２の携帯者が５１０号室の居住者であると判別されることから、必要に応じて判別結果の報知を、管理室親機９の報知部９００（９００ａ、９００ｂ）を使用して行うとともに、この検出タイミングが当該ＣＰＵにて計時されている一定時間（例えば、５分。）の経過後の場合には、共同玄関ドア２から５１０号室までの帰宅ルート上の照明灯１０、１０、・・・を点灯させ、さらには、共同玄関ドア２を開成制御して集合住宅内への進入を促し、エレベータ４を共同玄関フロアまで移動させて共同玄関付近で開扉させた後、５１０号室の居住者を乗せた状態で自住戸の存在階である５階に着床させるように当該エレベータを自動運転することにより、帰宅時の居住者は、集合住宅内における帰宅ルート上の明るさが確保された状態で何ら操作することなく、自住戸階である５階まで容易かつ迅速に辿り着くことができ、利便性が高められる。
【００４２】
なお、制御機１１のＣＰＵ１１０は、受信した顔画像信号と予め含まれているデータとの照合に基づく判別結果が一致した場合であっても、この検出タイミングが当該ＣＰＵにて計時されている一定時間（例えば、５分。）の経過前、例えば、５１０号室の居住者による（自住戸玄関ドア６の錠６００）の施錠操作が行われて間もないときには、照明灯１０、１０、・・・への点灯制御及びエレベータ４への自動運転制御を行わない。したがって、前述の居住者の外出時と同様、居住者の帰宅時において、共同玄関受信部３が鍵１２の発信部１２０からの送信電波を受信したときの誤動作の発生を防止することができる。
【００４３】
また、制御機１１のＣＰＵ１１０において、受信した顔画像信号と予め記憶されているデータとの照合に基づく判別結果が一致しなかった場合、例えば、本来の所有者であるべき５１０号室の居住者ではなく、その鍵１２を盗んだ第三者であると判別した場合には、共同玄関ドア２は開成せず閉成状態を保持することで防犯性が高められるばかりでなく、証照明灯１０、１０、・・・への点灯制御も行わない。また、ＣＰＵ１１０は、その旨の警報発報を、管理室親機９の報知部９００（９００ａ、９００ｂ）を使用して行うことができるばかりでなく、同様な警報発報を必要に応じて共同玄関機１に行うことができ、さらには、図示しない警報転送手段の利用によって警備会社等に通報することもできる。
【００４４】
次に、エレベータ４の利用により自住戸の存在階である５階のフロアまで辿り着いた５１０号室の居住者が、例えば、同一階の他住戸である５０１号室の住戸玄関ドア６に近付くと、この住戸玄関ドア６の錠６００の周囲近傍に例えば、１５ｃｍ以内で設置された住戸玄関受信部７では、鍵１２の発信部１２０からの送信電波を受信することができる。この送信電波は、電気信号に信号変換された後、５０１号室の住戸玄関受信部７から同住戸の居室親機８を経由して制御機１１に伝送される。
【００４５】
制御機１１のＣＰＵ１１０は、受信した送信電波信号に予め含まれている居住者情報をもとに、予め不在状態であった５１０号室の居住者が他住戸玄関である５０１号室付近に居ることを検出し、５０１号室の玄関子機５のカメラ５００を駆動させることなく、５０１号室の住戸玄関ドア６から５１０号室までの帰宅ルート上に設置される照明灯１０、１０、・・・を点灯させることで、この明るさが確保された帰宅ルートを経由して自住戸に向かう居住者にとって、利便性が高められる。
【００４６】
次に、自住戸である５１０号室まで辿り着いた居住者が帰宅するにあたり、鍵１２によって住戸玄関ドア６の錠６００を解錠すると、この錠６００の周囲近傍に例えば、１５ｃｍ以内で設置された住戸玄関受信部７は、鍵１２の発信部１２０からの送信電波を受信することができる。この送信電波は、電気信号に信号変換された後、５１０号室の住戸玄関受信部７から同住戸の居室親機８を経由して制御機１１に伝送される。
【００４７】
制御機１１のＣＰＵ１１０は、受信した送信電波信号に予め含まれている居住者情報をもとに、予め不在状態であった５１０号室の居住者による自住戸玄関の解錠操作が行われたことを検出し、前述の５１０号室の居室親機８を経由して玄関子機５のカメラ５００を駆動させ、鍵１２によって解錠操作を行った人物の顔画像の撮像を開始することができる。この顔画像は、電気信号の顔画像信号に変換された後、居室親機８に送出され、前述の送信電波信号と同様な経路を介して制御機１１に伝送される。
【００４８】
ここで、制御機１１のＣＰＵ１１０は、受信した顔画像信号と予め記憶されているデータとの照合を行う。ここでは、判別結果として、鍵１２によって解錠操作を行った人物が５１０号室の居住者であると判別されることから、必要に応じて判別結果の報知を、管理室親機９の報知部９００（９００ａ、９００ｂ）を使用して行うとともに、居室番号「５１０」に割り当てて不在状態から在室状態に遷移されたことを記憶するとともに、予め点灯されていた５０１号室の住戸玄関ドア６から５１０号室までの帰宅ルート上に設置された照明灯１０、１０、・・・を全て消灯させることができる。
【００４９】
なお、制御機１１のＣＰＵ１１０において、受信した顔画像信号と予め記憶されているデータとの照合に基づく判別結果が一致しなかった場合、例えば、本来の所有者であるべき５１０号室の居住者でなく、その鍵１２を盗んだ第三者であると判別した場合には、その旨の警報発報を、管理室親機９の報知部９００（９００ａ、９００ｂ）を使用して行うことができるばかりでなく、同様な警報発報を必要に応じて５１０号室の玄関子機５及び居室親機８に行うことができ、さらには、図示しない警報転送手段の利用によって警備会社等に通報することもできる。
【００５０】
前述の説明から明らかなように、本発明の実施例によれば、鍵１２を携帯している居住者にとって、帰宅時における共同玄関ドア２の開成、エレベータ４の自動運転、帰宅ルート上の照明灯１０の点灯／消灯を何ら操作することなく実行することができ、利便性が高められる。また、鍵の携帯者が当該鍵の所有者であるか否かの判別、及びその判別結果の報知が容易となり、防犯性が高められる。
【００５１】
なお、本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５２】
具体的に本発明の実施例によれば、鍵１２の携帯者が当該鍵の所有者であることを判別する顔認証を行うための顔画像を撮像するカメラ１００、５００を、共同玄関機１及び玄関子機５、５、・・・にそれぞれ備える態様について説明したが、この態様に限定されるものではない。例えば、共同玄関の外側及び住戸玄関の外側にそれぞれ設置されるものであれば、共同玄関機１及び玄関子機５、５、・・・とは異なる別途の外部機器の当該カメラとして設けることもできる。
【００５３】
また、本発明の実施例によれば、当該システムをマンション等の集合住宅に設置する態様について説明したが、この態様に限定されるものではない。例えば、共同玄関、エレベータ及び照明灯や多数の客室を有するホテル等の施設に採用することもできる。
【符号の説明】
【００５４】
２……共同玄関ドア
３……共同玄関受信部
４……エレベータ
６、６、・・・ ……住戸玄関ドア
７、７、・・・ ……住戸玄関受信部
１０、１０、・・・ ……照明灯
１１……制御機
１１０……ＣＰＵ
１２……鍵
１２０……発信部
１００、５００……カメラ
９００……報知部
【図１】
2011035538.tif 000003